(57)【特許請求の範囲】
【請求項１】
螺子部材本体と、
上記螺子部材本体に設けられた螺子山部と、を具備してなる骨接合装置用螺子部材において、
上記螺子部材の先端部から外径が最大となるまでの部分においては上記螺子山部の外周形状が円形となるように形成され、外径が最大となる部分以降の部分においては上記螺子山部の外周形状が六角形となるように形成すると共に、
螺子山部の全部又は一部の外周部を鋸歯状に形成してタップ部としたことを特徴とする骨接合装置用螺子部材。
【請求項２】
請求項１記載の骨接合装置用螺子部材において、
上記螺子山部の外周形状が円形の部分においては上記螺子山部の外周部は平滑であり、上記螺子山部の外周形状が六角形の部分においては上記螺子山部の外周部は鋸歯状に形成されていることを特徴とする骨接合装置用螺子部材。
【請求項３】
請求項１又は請求項２記載の骨接合装置用螺子部材において、
骨接合装置用のラグスクリュであることを特徴とする骨接合装置用螺子部材。
【発明の詳細な説明】
【０００１】
【発明が属する技術分野】
本発明は、例えば、大腿骨の頸部骨折時に骨折した部分を接合するための骨接合装置に使用される螺子部材に係り、特に、タップ機能を備えているものであって、簡単な構成で所望のタップ機能を発揮することができるように工夫したものに関する。
【０００２】
【従来の技術】
骨接合装置としては、例えば、特開２００１−１４９３７９号公報に示すようなものがある。
尚、これは本件特許出願人によるものである。
その構成を図４に示す。図４は大腿骨１の頸部１ａに骨折が発生し、それを接合するための骨接合装置の構成を示す図であり、図４中骨折部を符号Ａで示す。
まず、チューブプレート３があり、このチューブプレート３は、大腿骨１の側部に沿った状態で配置されている。上記チューブプレート３の図４中上端には、受部５が形成されている。この受部５には図示しない貫通孔が形成されている。
【０００３】
上記受部５の内側（大腿骨１側に形成される孔内）には、チューブ９が配置されている。このチューブ９は、略半球状をなす頭部１１を備えていて、該頭部１１を介して上記受部５の貫通孔内に移動可能に係合するようになっている。又、上記チューブ９は中空部を備えていると共に、頭部１１の内周側には図示しない雌螺子部が形成されている。上記受部５の貫通孔の内表面は、梨地状（ザラザラした状態）をなしていると共に、チューブ９の頭部１１の表面も同様に梨地状をなしている。それによって、大きな摩擦力を得て固定力を高めるようになっている。
【０００４】
又、ラグスクリュ１３があり、このラグスクリュ１３は、横断面形状が六角形の軸部１５を備えていて、該軸部１５の先端部には雄螺子部１７が形成されている。上記雄螺子部１７は、図５に示すように、タップ機能付きとして構成されている。又、軸部１５の基部側の内周面には、図５（ａ）に示すように、雌螺子部１８が形成されている。上記ラグスクリュ１３は、大腿骨１の頸部１ａから骨頭１ｂにかけて予め形成された孔内に挿入されて螺合・接合されることになる。
【０００５】
上記タップ機能の構成を詳しく説明すると、図５（ｂ）に示すように、雄螺子部１７の螺子山部１９の外周部が鋸歯状になっていてタップ部２１となっている。又、上記雄螺子部１７には数箇所（１〜３箇所程度）においてスリット２３が形成されている。
尚、図５（ｂ）では１箇所のスリット２３のみを示している。
このような構成により所望のタップ機能を発揮するものである。
【０００６】
図４に戻って、チューブプレート３の受部５の外側にはセットスクリュ２５が配置されていて、このセットスクリュ２５は頭部と軸部とから構成されていて、この軸部の外周部には雄螺子部が形成されている。この雄螺子部がチューブ９の頭部１１の雌螺子部に螺合されることになる。又、横断面形状が六角形の貫通孔が形成されている。この貫通孔内にコンプレッションスクリュ２７が通ることになる。このコンプレッションスクリュ２７には、ラグスクリュ１３側の雌螺子部に螺合する図示しない雄螺子部が形成されている。
【０００７】
又、座金２９があり、これはセットスクリュ２５とチューブプレート３の受部５の貫通孔との間に介挿されるものであって、ラグスクリュ１３及びチューブ９がチューブプレート３に対してどのような方向性をもって配置されていても、セットスクリュ２５をチューブ９の頭部１１の雌螺子部に容易に螺合・接合させることができるように、且つ、強固な固定状態を得ることができるように設けられている。
【０００８】
又、チューブプレート３には、固定螺子としてのコーティカルスクリュ３１を通すための複数個（この場合には３個）の図示しない貫通孔が形成されている。又、チューブプレート３には、固定螺子としてのキャニレットスクリュ３３を通すための図示しない貫通孔が形成されている。
【０００９】
上記構成によると、例えば、大腿骨１の頸部１ａに骨折Ａが発生した場合には、大腿骨１の頸部１ａから骨頭１ｂにかけて所定深さの孔を穿孔する。すなわち、図示しない穿孔用ドリルと同じく図示しない骨接合装置取付用治具を使用して所定深さの孔を穿孔する。穿孔作業が終了したら、上記穿孔用ドリルを残して骨接合装置取付用治具を取り外す。
【００１０】
次に、残された穿孔用ドリルをガイドにして、図示しない穿孔用治具によって、より径の大きな穿孔を施すと共に、図示しない、ねじ切り治具によって、該穿孔された孔に所定のねじ切りを施す。
尚、図４及び図５に示すラグスクリュ１３の雄螺子部１７はタップ機能付きであるので、上記ねじ切り作業は不要となり、ラグスクリュ１３によって直接ねじ切りを行いながら螺合していくことになる。
【００１１】
次に、骨接合装置を順次装着して固定していくことになる。すなわち、上記したように、ラグスクリュ１３を螺合・接合させていくと共に、チューブ９を挿入・配置する。その際、ラグスクリュ１３の基部は上記チューブ９の中空部内に挿入される。
【００１２】
又、大腿骨１の側部に、チューブプレート３を沿わせるように配置する。そして、セットスクリュ２５を、座金２９を介して、チューブプレート３の受部５の貫通孔を通してチューブ９の頭部１１の雌螺子部に螺合させる。それによって、チューブ９がチューブプレート３に固定されることになる。次に、ガイドドリルを撤去する。そして、コンプレッションスクリュ２７をセットスクリュ２５内を通して、ラグスクリュ１３の基部の雌螺子部に螺合させていく。それによって、ラグスクリュ１３、ひいては骨頭１ｂを大腿骨１の頸部１ａ側に引き寄せ、骨折部Ａに圧迫を与える。後は、チューブプレート３の外側から複数本のコーティカルスクリュ３１、キャニレットスクリュ３３を大腿骨１にねじ込むことにより全体を固定する。
【００１３】
【発明が解決しようとする課題】
上記従来の構成によると次のような問題があった。
すなわち、ラグスクリュ１３の雄螺子部１７はタップ機能付きとなっていて、自らねじ切り作業を行いながら螺合していくようになっているが、そのようなタップ機能付きの構成とするためには、雄螺子部１７にスリット２３を設ける等面倒な加工を必要としてしまうという問題があった。
又、ねじ切り機能を高めようとするとスリット２３の個数を増加させる必要があり、益々面倒な加工が必要になってしまうことになる。
又、ラグスクリュ１３を螺合・接合させた場合、タップ部１１１の小さな凹みにねじ切り時の切粉が溜まり、その後周りの骨がこれら切粉を吸収しながら成長・再生していくことになるが、そのためのスペース、すなわち、切粉が溜まる為のスペースが狭いという問題があった。
【００１４】
本発明はこのような点に基づいてなされたものでその目的とするところは、面倒な加工を要することなく必要なタップ機能を付与することができ螺子部材を提供することにある。
【００１５】
【課題を解決するための手段】
上記目的を達成するべく本願発明の請求項１による骨接合装置用螺子部材は、螺子部材本体と、上記螺子部材本体に設けられた螺子山部と、を具備してなる骨接合装置用螺子部材において、上記螺子部材の先端部から外径が最大となるまでの部分においては上記螺子山部の外周形状が円形となるように形成され、外径が最大となる部分以降の部分においては上記螺子山部の外周形状が六角形となるように形成すると共に、螺子山部の全部又は一部の外周部を鋸歯状に形成してタップ部としたことを特徴とするものである。
又、請求項２による骨接合装置用螺子部材は、請求項１記載の骨接合装置用螺子部材において、上記螺子山部の外周形状が円形の部分においては上記螺子山部の外周部は平滑であり、上記螺子山部の外周形状が六角形の部分においては上記螺子山部の外周部は鋸歯状に形成されていることを特徴とするものである。
又、請求項３による骨接合装置用螺子部材は、請求項１又は請求項２記載の骨接合装置用螺子部材において、骨接合装置用のラグスクリュであることを特徴とするものである。
【００１６】
すなわち、本願発明の骨接合装置用螺子部材は、螺子部材本体と、上記螺子部材本体に設けられた螺子山部と、を具備してなる骨接合装置用螺子部材において、上記螺子部材の先端部から外径が最大となるまでの部分においては上記螺子山部の外周形状が円形となるように形成され、外径が最大となる部分以降の部分においては上記螺子山部の外周形状が六角形となるように形成すると共に、螺子山部の全部又は一部の外周部を鋸歯状に形成してタップ部としたものであり、それによって、従来のように、スリットを形成する等の面倒な加工を要することなく所望のタップ機能を付与することが可能になる。
又、上記作用と共に、螺合・接合後により強固な固定状態を得られるという利点がある。
又、骨接合装置用のラグスクリュとしての使用が考えられる。
【００１７】
【発明の実施の形態】
以下、図１及び図２を参照して本発明の第１の実施の形態を説明する。この第１の実施の形態の場合には、骨接合装置におけるラグスクリュ１０１に本願発明を適用した例を示すものである
まず、ラグスクリュ１０１は、横断面形状が六角形の軸部１０３を備えていて、該軸部１０３の先端部には雄螺子部１０５が形成されている。上記雄螺子部１０５はタップ機能付きとして構成されている。又、軸部１０３の基部側の内周面には、雌螺子部１０７が形成されている。上記ラグスクリュ１０１は、従来例の説明に使用した図４に示す大腿骨１の頸部１ａから骨頭１ｂにかけて予め形成された孔内に挿入されて螺合・接合されるものである。
【００１８】
上記タップ機能付きの構成を詳しく説明すると、図１（ｂ）及び図２に示すように、雄螺子部１０５の螺子山部１０９はその外周形状が六角形になっている。又、その螺子山部１０９の外周部は鋸歯状になっていてタップ部１１１となっている。
因みに、従来はスリットを形成していたのに対して、この実施の形態の場合には、螺子山部１０９を六角形として角部１０９ａを設けることにより、スリットを形成した場合と同様の作用を発揮させるようにしているものである。
【００１９】
上記螺子山部１０９の外周形状を図２を参照して詳細に確認してみる。図２は図１（ｂ）のＩＩ−ＩＩ矢視図であると共に拡大して示す図である。この図２に示すように、螺子山部１０９の内、先端からその外径が最大外径に至る迄の間の螺子山部１０９については通常通り円形螺旋となっているが、最大外径に至ったところからその外周形状が六角形になっている。これは、ラグスクリュ１０１を螺合・接合させていくときには、既に所定径の孔が穿孔されており、つまり、先端部の小径の螺子山部１０９がねじ切り機能を大きく発揮することはないことに起因する。
尚、理解を容易にするために図２中に一点鎖線で六角形の補助線ａを記入している。
【００２０】
そして、このような形状のラグスクリュ１０１を大腿骨１の骨頭１ｂに螺合させていくと、六角形の各辺と骨頭１ｂとの間に空間１２１が形成されることになる。この空間１２１内にはねじ切り時に発生する切粉が堆積していく。その後養生期間において周りの骨がそれら切粉を吸収しながら成長・再生していき、その結果、強固に固定されることになる。
【００２１】
又、上記ラグスクリュ１０１の螺子山部１０９を製造する場合には、まず、従来通り円形の螺旋を形成する。次に、所定幅であって複数個の円周溝を備えた円板状加工具によって六方から削り落とす。それによって、螺子山部１０９の外周形状が六角形となると共に鋸歯状のタップ部１１１が形成されることになる。
【００２２】
上記構成をなすラグスクリュ１０１を使用した骨接合の手順は従来例の説明で述べたものと同じである。
又、骨を接合した後ラグスクリュ１０１等をそのまま残置させる場合と除去する場合がある。そのまま残置する場合には前述したように空間１２１に溜まった切粉を周りの骨が吸収しながら成長・再生しているので、強固な固定状態を得ることができる。
又、撤去する場合にはラグスクリュ１０１の高いタップ機能が効果的に機能することになるので、比較的容易に取り外す異が可能である。
【００２３】
以上この第１の実施の形態によると、従来のように、スリットを設ける等の面倒な加工作業を何等要することなく必要なタップ機能を備えたラグスクリュ１０１を得ることができる。これは、ラグスクリュ１０１の雄螺子部１０５の螺子山部１０９の外周形状を六角形として角部１０９ａを設けることにより、スリットを設けた場合と同様の作用を発揮できるように構成したからである。
又、スリットの場合比べて六角形にした場合の方がそのねじ切り機能は高まるものであり、これは、骨接合時にラグスクリュ１０１を螺合・接合させる場合に大きく寄与することはもとより、ラグスクリュ１０１を外す場合においても大きな効果を発揮する。
すなわち、骨接合に際しては、ラグスクリュ１０１をそのまま残す場合と一定の期間経過後に撤去する場合の二通りがある。撤去する場合には、既に強固に固定されているために、再度、ラグスクリュ１０１自身でねじ切り機能を発揮しながら引き出される必要があり、その際、既に述べた高いねじ切り機能が効果的に機能することになる。
又、図２に示すように、螺合させていく大腿骨１側に対して空間部１２１が形成されることになり、該空間１２１内に切削屑が溜まっていくことになり、周りの骨がそれらを吸収しながら成長・再生していき、その結果、強固な締結力を得ることができるようになるものである。
又、螺子山部１０９の鋸刃状のタップ部１１１が上記強固な締結力を得る上で効果的に機能することになる。
【００２４】
次に、図３を参照して本発明の第２の実施の形態を説明する。前記第１の実施の形態の場合には、ラグスクリュ１０１の螺子山部１０９の全てに鋸歯状のタップ部１１１を設けたが、この第２の実施の形態の場合には、先端部の最大径に至らない部分については特に設けない構成にしているものである。つまり、ラグスクリュ１０１を螺合させていくときには、既に所定径の孔が穿孔されているために、先端部の最大径に至らない部分が機能することは少ないからである。
その他の構成は前記第１の実施の形態の場合と同じであり、同一部分には同一符合を付して示しその説明は省略する。
そして、この第２の実施の形態の場合も前記第１の実施の形態の場合と同様の効果を奏することができるものである。
【００２５】
尚、本発明は前記第１、第２の形態に限定されるものではない。
前記第１、第２の実施の形態の場合ではラグスクリュ１０１を例に挙げて説明しているが、コーティカルスクリュやキャニレットスクリュについても同様に適用可能である。
【００２６】
以上詳述したように本発明による螺子部材によると、従来のように、スリットを設ける等の面倒な加工作業を何等要することなく必要なタップ機能を備えた螺子部材を得ることができる。これは、螺子部材の雄螺子部の螺子山部の外周形状を六角形として角部を設けることにより、スリットを設けた場合と同様の作用を発揮できるように構成したからである。又、螺合させていく対象物との間に空間部が形成されることになり、該空間内に切削屑が溜まっていくことになり、それが固着して強固な締結力を得ることができるようになるものである。又、螺子山部の鋸歯状のタップ部が上記強固な締結力を得る上で効果的に機能することになる。
【図面の簡単な説明】
【図１】本発明の第１の実施の形態を示す図で、図１（ａ）はラグスクリュの正面図、図１（ｂ）は図１（ａ）のｂ部を拡大して示す図である。
【図２】本発明の第１の実施の形態を示す図で、図１（ｂ）のＩＩ−ＩＩ矢視図である。
【図３】本発明の第２の実施の形態を示す図で、ラグスクリュの雄螺子部の螺子山部の構成を示す図である。
【図４】従来例を示す図で、骨接合装置により大腿骨の骨折部を接合している様子を示す図である。
【図５】従来例を示す図で、図４（ａ）はラグスクリュの正面図、図４（ｂ）は図４（ａ）のｂ部を拡大して示す図である。
【符号の説明】
１  大腿骨
１ａ  頸部
１ｂ  骨頭
１０１  ラグスクリュ
１０３  軸部
１０５  雄螺子部
１０９  螺子山部
１０９ａ  角部
１１１  タップ部
１２１  空間
【図１】
0004105467.tif 000002
【図２】
0004105467.tif 000003
【図３】
0004105467.tif 000004
【図４】
0004105467.tif 000005
【図５】
0004105467.tif 000006